(57)【特許請求の範囲】
【請求項１】
エレベータ乗り場の出入口を開閉するドアパネルの開閉移動に伴って前記出入口に設けられた敷居溝をスライド移動するドアシューであって、
前記ドアパネルの下端部に固定されたシュー本体と、
前記シュー本体の下方に設けられ前記敷居溝内で回動可能に前記シュー本体に軸支されたストッパーと、
下端が前記ストッパーに固定され、上端が前記シュー本体の軸孔を貫通して前記シュー本体の上部に突出する支持軸と、
前記支持軸の上端に固定された操作アームと、
を備え、
前記ストッパーは、前記シュー本体と整列して前記敷居溝内をスライド可能な非ロック位置と、前記シュー本体に対して相対的に回動してロック端が前記敷居溝の内壁に当接して前記ドアシューのスライドをロックするロック位置とをとることを特徴とする、
ストッパー機能付きドアシュー。
【請求項２】
前記操作アームは、前記ストッパーを前記ロック位置で固定する固定部を有している、
請求項１に記載のストッパー機能付きドアシュー。
【請求項３】
前記ストッパーは、前記非ロック位置で前記ストッパーを前記シュー本体に係合する係合爪を有している、
請求項１または２に記載のストッパー機能付きドアシュー。
【発明の詳細な説明】
【技術分野】
【０００１】
本発明は、エレベータ乗り場の出入口を開閉するドアパネルの開閉移動に伴って敷居溝をスライド移動するドアシュー、特にストッパー機能付きドアシューに関する。
【背景技術】
【０００２】
エレベータの保守点検時等には、最下階のエレベータ乗り場の出入口から昇降路のピットへ降りて各種の保守作業が実施される。また、エレベータ乗り場の出入口を開閉するドアパネルはドアクローザによって戸閉方向に常時付勢されているため、ピット内で保守作業を行う場合にはドアパネルをドアストッパーで戸開状態に保持しておく必要がある。
【０００３】
特許文献１には、互いの傾斜面同士を接触させるように積層された上阻止片と下阻止片とからなり、上阻止片の長孔に挿通されたネジを下阻止片のねじ孔にねじ込むことによって上阻止片を下阻止片に押し付けて敷居溝の幅方向に上阻止片を変位させることで、両阻止片を敷居溝内で突っ張らせて固定できるようにしたドアストッパーが開示されている。
【先行技術文献】
【特許文献】
【０００４】
【特許文献１】特開２００４−５１３０９号公報
【発明の概要】
【発明が解決しようとする課題】
【０００５】
しかしながら、上記特許文献１に記載されたドアストッパーでは、ドアストッパーをエレベータまで携行する必要があり、ドアストッパーの携行を忘れた場合、エレベータの保守がやり難いという問題がある。また、ドアストッパーを敷居溝に固定する際に誤って昇降路内に落としてしまうという問題もある。
【０００６】
本発明の目的は、エレベータまで持ち運ぶ必要がなく、使用する際に誤って昇降路内へ落としてしまうこともないストッパー機能付きドアシューを提供することにある。
【課題を解決するための手段】
【０００７】
本発明に係るストッパー機能付きドアシューは、エレベータ乗り場の出入口を開閉するドアパネルの開閉移動に伴って出入口に設けられた敷居溝をスライド移動するドアシューであって、ドアパネルの下端部に固定されたシュー本体と、シュー本体の下方に設けられ敷居溝内で回動可能にシュー本体に軸支されたストッパーと、下端がストッパーに固定され、上端がシュー本体の軸孔を貫通してシュー本体の上部に突出する支持軸と、支持軸の上端に固体された操作アームと、を備え、ストッパーは、シュー本体と整列して敷居溝内をスライド可能な非ロック位置と、シュー本体に対して相対的に回動してロック端が敷居溝の内壁に当接してドアシューのスライドをロックするロック位置とをとるものである。
【０００８】
本発明に係るストッパー機能付きドアシューにおいて、操作アームは、ストッパーをロック位置で固定する固定部を有することが好ましい。
【０００９】
本発明に係るストッパー機能付きドアシューにおいて、ストッパーは、非ロック位置でストッパーをシュー本体に係合する係合爪を有することが好ましい。
【発明の効果】
【００１０】
本発明に係るストッパー機能付きドアシューによれば、シュー本体と整列して敷居溝内をスライド可能な非ロック位置と、シュー本体に対して相対的に回動してロック端が敷居溝の内壁に当接してドアシューのスライドをロックするロック位置とをとることができる。このため、ドアストッパーをエレベータまで携行しなくてもドアパネルをロックして戸開状態に保持することができる。また、ドアパネルをロックする際にドアストッパーを誤って昇降路内に落とすことも防止できる。
【図面の簡単な説明】
【００１１】
【図１】本発明の実施形態であるストッパー機能付きドアシューが適用されるエレベータドアの全体構成図である。
【図２】本発明の実施形態であるストッパー機能付きドアシューの斜視図である。
【図３】図１に示すＡ方向から本発明の実施形態であるストッパー機能付きドアシューを見た状態を示す図である。
【図４】本発明の実施形態であるストッパー機能付きドアシューのストッパーとシュー本体との係合を解除した状態を示す斜視図である。
【図５】図４に示す状態からストッパーを回転させた状態のストッパー機能付きドアシューを示す斜視図である。
【図６】図５に示すストッパー機能付きドアシューを図３と同様にＡ方向から示す図である。
【発明を実施するための形態】
【００１２】
以下に、本発明の実施形態について添付図面を参照しながら詳細に説明する。この説明において、具体的な形状、材料、数値、方向等は、本発明の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１３】
図１は、本発明の実施形態であるストッパー機能付きドアシューが適用されるエレベータドア１０の全体構成図である。エレベータドア１０は、エレベータ乗場に設置された左右両開き式のドアパネル１２，１４を備えている。左右のドアパネル１２，１４は、ほぼ同一の構成を備えるため、以下において、主に昇降路から見て右側のドアパネル１２について説明を行い、左側のドアパネル１４については適宜説明を省略するものとする。
【００１４】
ドアパネル１２は、ローラ１６ａ，１６ｂを備えるハンガー１６によって出入口１７の直上方に設置されたハンガーレール１８に沿って移動可能に吊り下げられている。さらに、このハンガーレール１８の直上方には、左右のドアパネル１２，１４を互いに反対方向に移動させるループ機構２０が設けられている。
【００１５】
図１に示すように、ループ機構２０は、左右両端に設置されたローラ２２ａ，２２ｂと、このローラ２２ａ，２２ｂの間に架け渡された連動ロープ２４とから構成されている。そして、昇降路から見て右側のドアパネル１２が連結板２６ａを介してループを構成する上側の連動ロープ２４に固定され、左側のドアパネル１４が連結板２６ｂを介して下側の連動ロープ２４に固定されている。このようにして、左右のドアパネル１２，１４が反対方向に連動して移動するようにしている。
【００１６】
また、ループ機構２０の左側には、図１に示すように、ドアクローザ３０が昇降路の壁面に設置されている。このドアクローザ３０は、渦巻バネを内蔵しており、渦巻バネに一端が連結されたワイヤ３２を介して連結板２６ａに接続され、両ドアパネル１２，１４を常に戸閉方向に付勢している。
【００１７】
ドアパネル１２の下端部には、図１に示すように、支持板６０，６２を介してドアシュー４０，４１が左右両端側に取り付けられている。ドアシュー４０，４１は、ドアパネル１２が戸閉方向または戸開方向に移動するとき敷居溝Ｇ内をスライド移動する。これにより、戸開または戸閉時におけるドアパネル１２の揺れを低減するとともに、ドアパネル１２が敷居から外れないようにしている。
【００１８】
昇降路から見て左側のドアシュー４１は、本発明の実施形態であるストッパー機能付きドアシューである。続いて、図２および図３を用いて、ドアシュー４１について説明する。図２は、ドアシュー４１の全体構成を示す斜視図である。図３は、図１に示すＡ方向からドアシュー４１を見た状態を示す部分拡大図である。図２および図３に示すように、ドアシュー４１は、シュー本体４２と、シュー本体４２の下部に設けられ、敷居溝Ｇ内で回動可能にシュー本体４２に軸支されたストッパー４４とを備えている。シュー本体４２には、上述した支持板６０が中央部に差し込まれた状態で固定されている。この支持板６０の上部にはドアパネル１２に固定するための固定用孔６０ａ，６０ｂが設けられている。
【００１９】
図２に示すように、シュー本体４２は舟形に形成され、後述する支持軸４６を挿通する軸孔４２ａが設けられている。また、ドアシュー４１は、ストッパー４４をドアシュー４１に軸支させる支持軸４６を備えている。この支持軸４６は、下端がストッパー４４に固定され、上端がシュー本体４２の軸孔４２ａを貫通してシュー本体４２の上部に突出している。
【００２０】
上記構成により、ストッパー４４は、シュー本体４２と整列して敷居溝Ｇ内をスライド可能な図２および図３に示す非ロック位置からシュー本体４２に対して相対的に回動してロック端４４ａが敷居溝Ｇの内壁に当接するロック位置へ移動する。このようにストッパー４４をロック位置へ移動することにより、ドアシュー４１のスライドをロックすることができる。このロック位置では、ストッパー４４のロック端４４ａが敷居溝Ｇの内壁に当接してドアシュー４１の移動を阻止している。
【００２１】
また、上述した支持軸４６の上端には、水平方向に延びる操作アーム４８が設けられている。これにより、ストッパー４４を保守員が非ロック位置またはロック位置へ回動させることができる。さらに、操作アーム４８の先端には、下向きに突出した略円柱状の固定部４９を設けている。図３に示すように、操作アーム４８は、スライド方向に対してやや傾斜するように配置されている。そして、固定部４９がシュー本体４２の上面に形成された固定用孔４２ｂに係合されることにより、上記ロック位置でドアシュー４１を固定できる。なお、固定部４９をシュー本体４２に設ける代わりに、ロック端４４ａにマグネットを内蔵させておき、このマグネットの吸引力によって敷居溝Ｇの内壁にストッパー４４を当接させた状態で固定するようにしてもよい。
【００２２】
上述したストッパー４４には、スライド方向における両端に係合爪５１，５２が設けられている。ここで、係合爪５１，５２の構成は同一であるため、係合爪５２についてのみ説明する。係合爪５２は、上側に窓部５２ａが形成された板状部材である。これに対し、シュー本体４２のスライド方向における端面には、弾性を有する膨出部５４が設けられている。そして、係合爪５２の窓部５２ａが膨出部５４に係合することにより、ストッパー４４をシュー本体４２に整列状態で固定できる。なお、係合爪５１，５２を設ける代わりに、ストッパー４４をシュー本体４２に整列状態で固定したときに、シュー本体４２の上面よりも少しだけ上の位置で支持軸４６を径方向に貫通する貫通孔を設け、この貫通孔に止めピンを差し込んでストッパー４４が下方に落ちないように固定してもよい。
【００２３】
ここで、図４は、シュー本体４２とストッパー４４との係合を解除してストッパー４４を下方へ移動させた状態を示す斜視図である。図４に示すように、上述した支持板６０の下端部は、シュー本体４２から下向きに突き出している。一方、ストッパー４４の上面には、支持板６０の下端部が嵌り込む長溝４４ｂが設けられている。このように、支持板６０の下端部が長溝４４ｂに嵌り込むことにより、シュー本体４２にストッパー４４を整列した状態で位置決めできる。そして、支持軸４６を押し下げると、窓部５２ａは膨出部５４から外れ、ストッパー４４がシュー本体４２より下降し、ストッパー４４は支持軸４６の軸回りに回動可能となる。
【００２４】
次に、図４〜図６を用いてドアシュー４１の使用方法について説明する。図５は、図４に示すストッパー４４を回転させた状態のドアシュー４１を示す図である。図６は、図５に示すドアシュー４１を図１に示すＡ方向から見た状態を示す図である。
【００２５】
最初に、エレベータの乗りかごを予め他の階へ退避させてから、例えば、最下階のエレベータドア１０のドアパネル１２，１４を押し開く。そして、図４に示すように、シュー本体４２にストッパー４４を固定している係合爪５１，５２をＤ方向およびＥ方向に押し開いて窓部５２ａとシュー本体４２の膨出部５４との係合を解除し、シュー本体４２を下方へ移動させる。これにより、シュー本体４２から下側に突出した支持板６０がストッパー４４の長溝４４ｂから抜け、シュー本体４２が回動可能となる。
【００２６】
そして、図５および図６に示すように、シュー本体４２をＪ方向（図４参照）へ回転させて支持軸４６の固定部４９をシュー本体４２の固定用孔４２ｂに係合させることによって、ストッパー４４をロック位置で固定できる。これにより、ストッパー４４のロック端４４ａを敷居溝Ｇの内壁に当接させることができる。
【００２７】
本発明に係るストッパー機能付きドアシュー４１によれば、シュー本体４２と整列して敷居溝Ｇ内をスライド可能な非ロック位置と、シュー本体４２に対して相対的に回動してロック端４４ａが敷居溝Ｇの内壁に当接してドアシュー４１のスライドをロックするロック位置とをとることができる。このため、ドアストッパーをエレベータまで携行しなくてもドアパネル１２，１４をロックして戸開状態に保持することができる。また、ドアストッパーを誤って昇降路に落とすことも防止できる。
【００２８】
なお、本発明に係るストッパー機能付きドアシューによれば、上述した実施形態およびその変形例の構成に限定されるものではなく、本願の特許請求の範囲に記載された事項およびその均等の範囲内で種々の改良や変更が可能であることはいうまでもない。
【符号の説明】
【００２９】
１０  エレベータドア、１２，１４  ドアパネル、１７  出入口、４０，４１  ドアシュー、４２  シュー本体、４２ａ  軸孔、４２ｂ  固定用孔、４４  ストッパー、４４ａ  ロック端、４４ｂ  長溝、４６  支持軸、４８  操作アーム、４９  固定部、５１，５２  係合爪、５２ａ  窓部、５４  膨出部、Ｇ  敷居溝。
【図１】
0006614994.tif 000002
【図２】
0006614994.tif 000003
【図３】
0006614994.tif 000004
【図４】
0006614994.tif 000005
【図５】
0006614994.tif 000006
【図６】
0006614994.tif 000007